(57)【要約】【課題】インク貯留室とリザーバ室を備えた筆記具において、簡易な構成で、リザーバ室に流出したインクのリターン率が高く、液漏れ等を生じ難くする。【解決手段】本発明の筆記具は、インク貯留室３と、本体の先端に設けられた弁機能を有するペン体７と、インク貯留室３とペン体７との間に形成され、大気連通孔１１を介して大気と連通されたリザーバ室４と、リザーバ室４とインク貯留室３を区画する隔壁２と、インク貯留室内のインクをペン体７に供給すると共に、隔壁２を挿通する細長状のインク供給体１０と、リザーバ室４をペン体側リザーバ室４ａと隔壁側リザーバ室４ｂに区画し、かつインク供給体１０を所定の隙間をもって挿通させると共に、インク供給体に沿って隔壁側２に向けて延出する延出部１２ｂが形成されたインク流出防止部材１２と、を有しており、大気連通孔１１を、隔壁側リザーバ室４ｂに開口させたことを特徴とする。【選択図】　　図１
2004050694.tif 000002
【特許請求の範囲】
【請求項１】
筆記具本体内に形成されたインク貯留室と、
前記筆記具本体の先端に設けられた弁機能を有するペン体と、
前記インク貯留室と前記ペン体との間に形成され、大気連通孔を介して大気と連通されたリザーバ室と、
このリザーバ室と前記インク貯留室を区画する隔壁と、
前記インク貯留室内のインクを前記ペン体に供給すると共に、前記隔壁を挿通する細長状のインク供給体と、
前記リザーバ室をペン体側リザーバ室と隔壁側リザーバ室に区画し、かつ前記インク供給体を所定の隙間をもって挿通させると共に、インク供給体に沿って前記隔壁側に向けて延出する延出部が形成されたインク流出防止部材と、を有しており、
前記大気連通孔は、前記隔壁側リザーバ室に開口していることを特徴とする筆記具。
【請求項２】
前記延出部の外周と筆記具本体の内周との間には、曝気孔を有する少なくとも１つのインク流出防止壁が嵌合されていることを特徴とする請求項１に記載の筆記具。
【請求項３】
前記インク流出防止壁には、前記延出部に沿って前記隔壁側に向けて延出すると共に、延出部を囲繞する筒部が形成されていることを特徴とする請求項２に記載の筆記具。
【請求項４】
前記インク流出防止部材の延出部の内周とインク供給体の外周との間の所定の隙間は、毛細管力が作用する程度に設定されていることを特徴とする請求項１乃至３のいずれか１項に記載の筆記具。
【請求項５】
前記インク流出防止壁の曝気孔は、毛細管力によってインクが保持されるように形成されていることを特徴とする請求項２乃至４のいずれか１項に記載の筆記具。
【請求項６】
前記隔壁の中央部には、前記インク供給体が隙間をもって挿通される挿通孔が形成されており、インク供給体と挿通孔との間には、毛細管力によってインクが保持されることを特徴とする請求項１乃至５のいずれか１項に記載の筆記具。
【請求項７】
前記インク貯留室は、前記隔壁と同様な隔壁によって、複数に分割されていることを特徴とする請求項１乃至６のいずれか１項に記載の筆記具。
【請求項８】
前記隔壁には、リザーバ室側にインクを保持可能なスリットが形成されていることを特徴とする請求項１乃至６のいずれか１項に記載の筆記具。
【請求項９】
前記延出部の先端と隔壁との間には、前記インク供給体を所定の隙間をもって挿通させ、インクの流出を防止する壁部が配設されていることを特徴とする請求項１乃至８のいずれか１項に記載の筆記具。
【請求項１０】
前記インク流出防止部材の延出部は、前記隔壁に当接すると共に、その中間部に空気通路が形成されていることを特徴とする請求項１乃至７のいずれか１項に記載の筆記具。
【請求項１１】
前記延出部の外周と筆記具本体の内周との間には、通気性を有し、インクを保持可能な保持体が配設されていることを特徴とする請求項１に記載の筆記具。
【請求項１２】
筆記具本体内に形成されたインク貯留室と、
前記筆記具本体の先端に設けられ、弁機能を有するペン体を保持するペンホルダと、
前記インク貯留室と前記ペン体との間に形成され、大気連通孔を介して大気と連通されたリザーバ室と、
このリザーバ室と前記インク貯留室を区画する隔壁と、
前記インク貯留室内のインクを前記ペン体に供給すると共に、前記隔壁を挿通する細長状のインク供給体と、
前記ペンホルダに設けられ、前記インク供給体を囲繞すると共に、インク供給体に沿って前記隔壁側に向けて延出する延出部と、
前記延出部の外周と筆記具本体の内周との間に配設され、リザーバ室をペン体側リザーバ室と隔壁側リザーバ室に区画すると共に、曝気孔を有する少なくとも１つのインク流出防止壁と、を有しており、
前記大気連通孔は、前記ペン体側リザーバ室に開口し、前記インク流出防止壁には、前記延出部に沿って前記隔壁側に向けて延出すると共に、延出部を囲繞する筒部が形成されていることを特徴とする筆記具。
【請求項１３】
前記延出部は、前記隔壁に当接すると共に、その中間部に空気通路が形成されていることを特徴とする請求項１２に記載の筆記具。
【発明の詳細な説明】
【０００１】
【発明の属する技術分野】
本発明は、液体状のインクを用いる筆記具に関し、詳細には、筆記具本体内に液体状のインクを貯留するインク貯留室と、インク貯留室内の温度変化や圧力変化を補償するリザーバ室とを備え、インク貯留室内のインクを、インク供給体を介して弁機能を有するペン体に供給する形式の筆記具に関する。
【０００２】
【従来の技術】
上記したような液体状のインクを直接貯留する形式の筆記具として、例えば、特開２００１−３１５４８３号に開示されているように、筆記具本体に、インクを貯留したインク貯留室と大気に連通したリザーバ室とを設け、これらを隔壁によって区画した構成が知られている。前記隔壁には、多孔質の材料からなる棒状のインク供給体が挿通するように貫通孔が形成されており、インク供給体の外周と貫通孔の内壁との間で、毛細管力によってインクが保持される隙間を形成している。
【０００３】
そして、上記した貫通孔に保持されたインクの膜は、インク貯留室内の圧力の上昇、減少に伴って破れ、インクがリザーバ室に流出したり、空気がインク貯留室内に流入する等、いわゆる気液交換作用が得られるようになっている。このような気液交換作用は、周囲の温度変化やインク貯留室内の圧力変化を補償する上で好ましい構成であり、また、筆記によってインクが消費されると、毛細管力によって保持されている部分のインクが吸い出され、しかも、この部分で気液交換作用が行われることから、ペン体へのインク供給感度が良好となって、筆記の際に、濃淡が発生し難い構成の筆記具となる。
【０００４】
また、上記した公報には、前記リザーバ室内に、綿のような多孔質のインク保持体、或いは、蛇腹状のフィーダ機構を配設することで、温度変化等によってインク貯留室から流出したインクを保持する構成も開示されており、このようなインク保持体やフィーダ機構を設けることで、大気連通孔から外部へインクが漏れること等、を効果的に防止するようにしている。
【０００５】
【発明が解決しようとする課題】
ところで、通常、筆記具は、温度変化、姿勢変化等、様々な環境で使用されている。上記した構成の筆記具において、例えば、温度が上昇すると、インク貯留室内のインクはリザーバ室に流出し、その後の姿勢変化等によって、大気連通孔を介して外部に流出する（液漏れが生じる）ことがある。この場合、上記したように、リザーバ室に、綿のような多孔質のインク保持体、或いは、蛇腹状のフィーダ機構を配設しておくことで、その毛細管力によってインクが保持され、そのような液漏れを効果的に抑制することが可能である。
【０００６】
しかし、上記したインク保持体、或いはフィーダ機構に吸収されたインクは、その毛細管力によって、そのまま保持されてしまい、温度が元に戻っても、吸収されたインクの全てはインク供給体やインク貯留室にリターンすることができず（インクリターン率が低い）、インクに無駄が生じており、加えて、インク保持体やフィーダ機構を配設することで、構造が複雑化して、コストが高くなるという問題がある。また、このようにインク保持体、或いはフィーダ機構に吸収されたインクは、飽和状態になった場合、或いは様々な姿勢変化等によって、リザーバ室に通じる大気連通孔を介して外部に流出する可能性もある。
【０００７】
従って、液体インクを用いる筆記具では、より簡易な構成で、インク貯留室内のインクを無駄なく使用でき（筆記に利用でき）、更には、温度変化や姿勢変化等があっても、液漏れ等が生じないように構成されていることが望まれる。
【０００８】
本発明は、以上の事情に基づいてなされたもので、インク貯留室とリザーバ室を備えた筆記具において、簡易な構成で、リザーバ室に流出したインクのリターン率が高く、液漏れ等が生じ難い構成を提供することを目的とする。
【０００９】
【課題を解決するための手段】
上記した目的を達成するために、本発明に係る筆記具は、筆記具本体内に形成されたインク貯留室と、前記筆記具本体の先端に設けられた弁機能を有するペン体と、前記インク貯留室と前記ペン体との間に形成され、大気連通孔を介して大気と連通されたリザーバ室と、このリザーバ室と前記インク貯留室を区画する隔壁と、前記インク貯留室内のインクを前記ペン体に供給すると共に、前記隔壁を挿通する細長状のインク供給体と、前記リザーバ室をペン体側リザーバ室と隔壁側リザーバ室に区画し、かつ前記インク供給体を所定の隙間をもって挿通させると共に、インク供給体に沿って前記隔壁側に向けて延出する延出部が形成されたインク流出防止部材と、を有しており、前記大気連通孔は、前記隔壁側リザーバ室に開口していることを特徴とする。
【００１０】
上記した構成の筆記具では、急激に温度が上昇したような場合、インク貯留室にあるインクは、インク供給体に沿って流出するものが多くなる。インク供給体に沿って流出したインクは、ペン体側リザーバ室に流れ込むものの、ペン体には弁機能があり、かつペン体側リザーバ室には大気連通孔が開口していないため、姿勢変化等があっても、そこに溜まったインクは外部に漏れ出ることはない。従って、インク保持体、或いはフィーダ機構等を配設する必要がなくなって構成が簡略化されると共に、ペン体側リザーバ室に溜まったインクは、インク供給体の外周面と常時接触できる状態にあることから、温度の下降等により、インク供給体やインク貯留室へのインクリターン率が向上する。また、ペン体側リザーバ室に取り残されたインクも、筆記により、インク貯留室内のインクよりもまず先に消費される。
【００１１】
さらに、インク流出防止部材に形成された延出部は、インク供給体に沿って延出していることから、ペン体側リザーバ室に溜まったインクが飛散することが防止され、隔壁側に開口している大気連通孔からのインクの漏れが効果的に抑制される。
【００１２】
また、上記した目的を達成するために、本発明に係る筆記具は、筆記具本体内に形成されたインク貯留室と、前記筆記具本体の先端に設けられ、弁機能を有するペン体を保持するペンホルダと、前記インク貯留室と前記ペン体との間に形成され、大気連通孔を介して大気と連通されたリザーバ室と、このリザーバ室と前記インク貯留室を区画する隔壁と、前記インク貯留室内のインクを前記ペン体に供給すると共に、前記隔壁を挿通する細長状のインク供給体と、前記ペンホルダに設けられ、前記インク供給体を囲繞すると共に、インク供給体に沿って前記隔壁側に向けて延出する延出部と、前記延出部の外周と筆記具本体の内周との間に配設され、リザーバ室をペン体側リザーバ室と隔壁側リザーバ室に区画すると共に、曝気孔を有する少なくとも１つのインク流出防止壁と、を有しており、前記大気連通孔は、前記ペン体側リザーバ室に開口し、前記インク流出防止壁には、前記延出部に沿って前記隔壁側に向けて延出すると共に、延出部を囲繞する筒部が形成されていることを特徴とする。
【００１３】
上記した構成の筆記具では、急激に温度が上昇したような場合、インク貯留室にあるインクは、インク供給体に沿って流出するものが多くなる。インク供給体に沿って流出したインクは、インク供給体とペンホルダに設けられた延出部との間に、飛散等することなくペンホルダ内に溜まるようになる。この場合、ペン体には弁機能があることから、ある程度の水頭圧が作用してもインクが漏れ出ることはない。従って、インク保持体、或いはフィーダ機構等を配設する必要がなくなって構成が簡略化されると共に、ペンホルダに溜まったインクは、インク供給体の外周面と常時接触できる状態にあることから、温度の下降等により、インク供給体やインク貯留室へのインクリターン率が向上する。また、インク供給体とペンホルダに設けられた延出部との間に溜まったインクは、インクリターン率が向上すると共に、筆記により、インク貯留室内のインクよりもまず先に消費される。
【００１４】
【発明の実施の形態】
以下、図面を参照して本発明の実施形態について具体的に説明する。
図１は、本発明の第１の実施形態を示す図である。この実施形態の筆記具は、円筒状の軸筒、すなわち筆記具本体１を備えており、この本体１内には、軸方向と直交する方向に隔壁２によって区画され、液体のインクが貯留されるインク貯留室３、及びインク貯留室から流出するインクを受けるリザーバ室４が設けられている。また、本体１の尾端側には、尾栓５が取付けられ、先端側にはペンホルダ６が取付けられている。このペンホルダ６の先端部には、所定の筆圧が加わった際に、インクを流出させる弁機能を有するペン体７（例えば、ボールペンチップ）が取付けられている。
【００１５】
前記隔壁２は、円板状の部材を本体１の内周面に圧入して構成されたものであり、本実施形態においては、中心部に、インク供給体１０が所定の隙間（毛細管力によってインクが保持できる程度の隙間）を持って挿通されるように、挿通孔２ａが形成されている。このインク供給体１０は、本体１の中心軸線に沿って略全長に亘って設けられ、軸方向に平行な多数の繊維を収束して圧縮した多孔質の棒状の部材で構成されており、毛細管力によってインク貯留室３内のインクをペン体７に供給する。
【００１６】
この場合、インク供給体１０の先端部は、前記ペンホルダ６に形成された保持孔６ａ内に所定の隙間をもって保持され、かつ前記ペン体７にインクを供給すべく保持されている。また、インク供給体１０の尾端部は、本体１の尾端部に形成された保持部１ａ内に嵌合して保持されている。
【００１７】
前記ペンホルダ６は、本体１の先端に嵌め込まれており、その外周面の一部には、軸方向に延出する大気連通孔１１が形成されている。また、ペンホルダ６のペン体７が取付けられる側と反対側の内面には、インク流出防止部材１２が圧入固定されており、リザーバ室４を二室（ペン体側リザーバ室４ａ、隔壁側リザーバ室４ｂ）に区画している。
【００１８】
このインク流出防止部材１２は、ペンホルダ６の内面に圧入される固定部１２ａと、インク供給体１０に沿って隔壁２側に向けて延出する延出部１２ｂを備えており、その中央部には、インク供給体１０が所定の隙間を持って挿通できるように、挿通孔１２ｃが形成されている。この場合、延出部１２ｂは、隔壁２の近傍まで延出していると共に、前記大気連通孔１１は、延出部１２ｂの外周と本体１の内周との間で規定される空間に開口されている。
【００１９】
上記した構成の筆記具では、隔壁２に形成された挿通孔２ａの内壁と、インクを含浸しているインク供給体１０の外周との間で、毛細管力によりインク膜（シール）が形成された状態になっており、インク貯留室３内の圧力の上昇、減少に伴って、挿通孔２ａのインク膜が破れ、インクがリザーバ室４に流出したり、或いは大気に連通しているリザーバ室４を介して空気がインク貯留室３内に流入する等、いわゆる気液交換作用が得られる。また、筆記によってインクが消費されると、毛細管力によって保持されているインクが吸い出され、ペン体７へ供給される。この場合、隔壁２の中央部に形成された貫通孔部分を介して気液交換が行なわれることから、筆記具が姿勢変化等しても、中央部は水頭圧の影響を受け難く、最も効果的な気液交換作用が維持される。また、そのような気液交換が行なわれる部分に保持されたインクから順に消費されるため、ペン体７へのインク供給感度が向上する。
【００２０】
また、実際にインク貯留室３からインクがリザーバ室４に流出する際、インク供給体１０の外表面に沿って流れるインク量が多い。このように流出したインクは、最終的にインク流出防止部材１２によって区画されたペン体側リザーバ室４ａに溜まる。すなわち、リザーバ室４に配設されたインク流出防止部材１２、及びその延出部１２ｂによって、インク貯留室からリザーバ室４に流出したインクは、ペン体側リザーバ室４ａに溜まるものの、ペン体７には弁機能があり、かつペン体側リザーバ室には大気連通孔１１は開口していないことから、姿勢変化等があっても、そこに溜まったインクが外部に漏れ出ることはない。特に、固定部１２ａは、軸方向に直交する下端面１２ｄを備えていることから、図に示すように、筆記具を横置きしても、隔壁側リザーバ室４ｂへのインクの戻りが効果的に防止でき、大気連通孔１１からのインク漏れを抑制することができる。
【００２１】
なお、一般的なボールペンチップの場合、水頭圧が約２５ｍｍ（インクの表面張力等により異なる）までは、インクがリークしないような弁機能を具備していることから、ペンホルダ６、及びインク流出防止部材１２は、ペン体側リザーバ室４ａにおいて、ペン体７に作用する水頭圧が２５ｍｍ以下となるように構成しておくことが好ましい。すなわち、このように構成することで、ペン体７からのインクの漏れを確実に防止することが可能となり、綿等のインク保持体やフィーダ機構等を配設する必要がなくなって構成が簡略化される。また、上記した構成では、ペン体側リザーバ室４ａに溜まったインクは、インク供給体１０の外周面と常時接触できる状態にあることから、温度の下降等により、インク供給体２へのインクリターン率の向上が図れる。
【００２２】
また、上記したインク流出防止部材１２の延出部１２ｂの挿通孔１２ｃは、インク供給体１０の外周との間で、毛細管力によってインクが保持できる程度に形成されていることが好ましい。このように、インクが保持された状態になると、ペン体側リザーバ室４ａに溜まったインクの飛散や隔壁側リザーバ室４ｂへの流出が防止され、インク漏れが防止できるようになる。この場合、インク供給体１０の毛細管力をＡ、隔壁２の挿通孔２ａに作用する毛細管力をＢ、延出部１２ｂの挿通孔１２ｃに作用する毛細管力をＣとすると、Ａ＞Ｂ＞Ｃとなるように、各部材を形成しておくことが好ましい。このように構成することで、ペン体７へのインクの供給、及びインク供給体１０やインク貯留室３へのインクリターンがスムースに行なわれると共に、インク漏れを効果的に防止することが可能となる。
【００２３】
図２は、本発明の第２の実施形態を示す図である。なお、以下に説明する実施形態では、上記した実施形態と同一の構成部材については、同一の参照符号を付し、その説明を省略する。
【００２４】
この実施形態は、上記したインク流出防止部材１２の延出部１２ｂの外周と、本体１の内周との間に、曝気孔２０ａを具備するインク流出防止壁２０を嵌合させたものである。これにより、上記した隔壁側リザーバ室４ｂは分割され、さらに、大気連通孔１１が開口しているリザーバ室４ｃ（第３リザーバ室）が形成される。
【００２５】
このような構成によれば、より効果的に液漏れを防止することが可能となる。すなわち、例えば、図２に示したように、筆記具を横向きにした状態で、緩やかな温度上昇があると、インクは、図の矢印で示すように、挿通孔２ａから隔壁２に沿って径方向外側に流れ、本体の内周に向けて流れる傾向となる。このようなインクの流出があった後、筆記具を姿勢変化して起立状態にすると、インクは本体１の内周に沿って下方に流れ、上記した大気連通孔１１の開口に到達して、最終的に液漏れが生じる可能性がある。
【００２６】
上記したように、インク流出防止部材１２の延出部１２ｂの外周と、本体１の内周との間に、インク流出防止壁２０を嵌合しておくことで、そのようなインクの流れが確実に抑えられ、液漏れを効果的に抑制することができる。また、この構成においても、隔壁側リザーバ室４ｂに溜まったインクは、インク供給体１０と接触できる状態にあることから、インク供給体１０、或いはインク貯留室３にリターンさせ易くなる。
【００２７】
なお、上記したインク流出防止壁２０に形成される曝気孔２０ａについては、その形成位置、大きさに、形状等ついては適宜変形することが可能である。図２に示した実施形態では、延出部１２ｂの外周に沿って形成したが、例えば、図３に示すように、外周部の一部に孔状に形成したものであっても良い。また、その大きさは、毛細管力によってインクが保持できる程度に形成しておくことが好ましい。すなわち、このような大きさに形成しておくことで、より効果的にインク漏れを防止することが可能となる。
【００２８】
図４は、本発明の第３の実施形態を示す図である。
この実施形態のインク流出防止壁３０には、インク流出防止部材１２の延出部１２ｂに沿って隔壁２側に向けて延出すると共に、延出部を囲繞する筒部３０ｂが形成されており、この筒部３０ｂには、延出部１２ｂの外周に沿って軸方向に延出する曝気孔３０ａが形成されている。なお、この曝気孔３０ａについても、上述した実施形態と同様、適宜変形することが可能であり、例えば、延出部１２ｂに沿って溝状に形成されたものであっても良い。
【００２９】
このような構成によれば、隔壁側リザーバ室４ｂにインクが流出しても、そのインクは、筒部３０ｂの外周面と本体１の内周面との間の空間３０ｃに溜まるため、インク漏れを効果的に防止することが可能となる。特に、隔壁側リザーバ室４ｂにおいて、本体１の内周面に沿ってペン体側に流れるインクを確実に停止させることが可能となる。
【００３０】
図５は、本発明の第４の実施形態を示す図である。
この実施形態では、インク流出防止部材１２の延出部１２ｂの外周と、本体１の内周との間に、上記した曝気孔２０ａを具備するインク流出防止壁２０を軸方向に複数嵌合させたものである。これにより、隔壁側リザーバ室４ｂは、３分割され、リザーバ室４ｃ（第３リザーバ室）及び大気連通孔１１が開口しているリザーバ室４ｄ（第４リザーバ室）が形成される。
【００３１】
このように、インク流出防止壁２０を複数個配置しておくことで、大気連通孔１１が開口しているリザーバ室へのインクの流出がより効果的に防止でき、インク漏れを確実に防止することが可能となる。
【００３２】
図６及び図７は、夫々、上記した実施形態の変形例を示す図である。これらの変形例は、上記したインク流出防止壁２０，３０を適宜組み合わせて配設したものである。このような構成においても、インク漏れを確実に防止することが可能となる。
【００３３】
図８は、本発明の第５の実施形態を示す図である。
この実施形態では、インク貯留室３内に隔壁２と同様な隔壁を配設して、インク貯留室３を複数に分割したものである（インク貯留室３ａ，３ｂ）。なお、インク流出防止壁に関しては、上記した実施形態、及び変形例の構成を適用することが可能である。
【００３４】
このような構成によれば、インクはインク貯留室３ａから消費され、その後、インク貯留室３ｂ内のインクが消費されると共に、インク貯留室３ａがリザーバ室として機能することから、先端側に設けられたリザーバ室４の体積を減らすことができ、全体として、インクの貯留量を多くすることが可能となる。
【００３５】
図９は、本発明の第６の実施形態を示す図である。
この実施形態では、インク流出防止部材１２の延出部１２ｂの先端と隔壁２との間に、インク供給体１０を所定の隙間をもって挿通させる壁部４０を配設したものである。このような構成においても、挿通孔２ａから隔壁２に沿って径方向外側に流れ、かつ本体内周に沿ってペン体側に流れるインクを効果的に停止することができ、大気連通孔１１の開口からの液漏れを効果的に防止することが可能である。
【００３６】
なお、この実施形態においても、上述した実施形態や変形例のように、インク流出防止部材１２の延出部１２ｂの外周と、本体１の内周との間に、インク流出防止壁２０，３０を嵌合させても良い。
【００３７】
図１０は、本発明の第７の実施形態を示す図である。
この実施形態において、インク貯留室とリザーバ室４とを区画する隔壁５０のリザーバ室側には、周方向に所定の間隔をおいて、軸方向に延出すると共にインクを保持可能なスリット５１が形成されている。
【００３８】
このような構成によれば、毛細管力によって貫通孔５０ａに保持されているインクが、緩やかな温度上昇等により、リザーバ室側に流出しても、その流出したインクはスリット５１の毛細管力によって保持されるため、本体１の内周に沿って流れるインクを抑制してインクの漏れを効果的に防止することが可能となる。また、スリットに保持されたインクは、筆記や温度変化等により、インク供給体１０にリターンされ、インクリターン率の向上が図れる。
【００３９】
なお、スリットは、インクが保持できるように構成されたものであれば良く、その個数、形状等については、適宜変形することが可能である。また、この実施形態においても、上述した実施形態や変形例のように、インク流出防止部材１２の延出部１２ｂの外周と、本体１の内周との間に、インク流出防止壁２０，３０を嵌合させても良い。さらに、このようなスリットを有する隔壁は、上述した各実施形態に適用することが可能である。
【００４０】
図１１は、本発明の第８の実施形態を示す図である。
上述した各実施形態において、インク流出防止部材１２の延出部１２ｂの長さについては、特に限定されることはないが、温度上昇直後の姿勢変化によるインクの流出を効果的に防止するためには、長く形成しておくことが好ましい。
【００４１】
この実施形態は、延出部１２ｂを、隔壁２に当接する位置まで延出させると共に、中間部に空気通路１２ｅを形成し、かつ延出部１２ｂの外周と、本体１の内周との間に、インク流出防止壁２０を嵌合させたものである。
【００４２】
このような構成によれば、隔壁側リザーバ室４ｂ内に流れ込むインクが抑えられると共に、更に、インク流出防止壁２０を配設しているため、大気連通孔１１からのインクの流出を確実に防止することが可能となる。なお、この実施形態においても、上述した構成のようなインク流出防止壁３０を配設しても良く、或いは、延出部１２ｂによってインクの流出が効果的に防止できることから、インク流出防止壁を設けない構成であっても良い。
【００４３】
図１２は、本発明の第９の実施形態を示す図である。
この実施形態では、インク流出防止部材１２の延出部１２ｂの外周と、本体１の内周との間に、例えばスポンジのように、通気性を有し、インクを保持できる保持体６０を配設している。このような保持体６０によれば、曝気孔を形成しなくても、空気の流通が可能であると共に、効果的にインクを吸収保持することができ、構成も簡略化される。
【００４４】
なお、保持体６０には、別途、曝気孔を形成しても良く、このような保持体６０を軸方向に複数個、配設しても良い。また、このような保持体６０に加え、上記したインク流出防止壁２０，３０や壁部４０と適宜組み合わせても良く、さらに、図１０に示すように、隔壁２のペン体側にスリットを形成しても良い。
【００４５】
図１３は、本発明の第１０の実施形態を示す図である。
この実施形態では、ペン体７を保持するペンホルダ６に、インク供給体１０を囲繞すると共に、インク供給体１０に沿って隔壁２側に向けて延出する延出部６ｂを設けたものである。
【００４６】
この場合、延出部６ｂは、インク供給体１０からリザーバ室４にインクが流出できないように、インク供給体の外周とリザーバ室とを区画できるように構成されていれば良い。図に示した構成は、ペンホルダ６の保持孔６ａの周囲から上方に向けて延出するように、ペンホルダと共に一体成形されているが、このような延出部は、ペンホルダと別体で成形し、ペンホルダに一体的に取付けたものであっても良い。
【００４７】
このような構成によれば、急激に温度が上昇したような場合等、インク貯留室３からインク供給体１０に沿って流出したインクは、インク供給体１０と延出部６ｂとの間に、リザーバ室に向けて飛散等することなく溜まるようになる。この場合、ペン体７には弁機能があることから、ある程度の水頭圧が作用してもインクが漏れ出ることが防止される。また、インク供給体１０と延出部６ｂとの間に溜まったインクは、インク供給体１０の外周面と常時接触できる状態にあることから、温度の下降等により、インク供給体やインク貯留室へ容易にリターンさせることができると共に、筆記等によりインク貯留室３のインクよりも先に消費され、インクに無駄が生じることは無い。
【００４８】
図１４は、本発明の第１１の実施形態を示す図である。
この実施形態では、上記した図１３に示す実施形態において、延出部６ｂと本体１の内周との間に、上述したインク流出防止壁３０を配設し、リザーバ室４をペン体側リザーバ室４ａと隔壁側リザーバ室４ｂに区画しており、大気連通孔１１を、ペン体側リザーバ室４ａに開口させたものである。
【００４９】
このような構成によれば、筆記具を横置きした状態で、インクがインク貯留室３から流出し、その後、姿勢変化があっても、インクは、インク流出防止壁３０の筒部３０ｂの外周面と本体１の内周面との間の空間３０ｃに溜まるため、大気連通孔１１からのインクの流出を確実に防止することが可能となる。
【００５０】
なお、図１３、図１４に示す実施形態においても、上記した保持体６０、インク流出防止壁２０や壁部４０を任意に組み合わせて配設したり、図１０に示すように、隔壁２のペン体側にスリットを形成しても良い。
【００５１】
図１５は、本発明の第１２の実施形態を示す図である。
上記したペンホルダ６に設けられる延出部６ｂの長さについては、特に限定されることはないが、温度上昇直後の姿勢変化によるインクの流出を効果的に防止するためには、長く形成しておくことが好ましい。この実施形態では、延出部６ｂを隔壁２に当接する位置まで延出させると共に、中間部に空気通路６ｃを形成したものである。
【００５２】
このような構成によれば、隔壁２の挿通孔２ａからリザーバ室４内に流れ込むインクが抑えられ、大気連通孔１１からのインクの漏れを確実に防止することが可能となる。なお、このような構成において、本体１の内周と、延出部６ｂの外周との間に、上述した構成のようなインク流出防止壁２０，３０や保持体６０を配設しておくことで、インクの流出をより効果的に防止することが可能となる。
【００５３】
以上、本発明の実施形態を説明したが、上述した各実施形態における構成部材は、適宜、他の実施形態に適用することが可能である。例えば、いずれの実施形態の構成においても、インク貯留室３は、隔壁によって、軸方向に複数分割された構成であっても良い。また、大気連通孔１１が開口する位置については、側面側に開口させる等、図に示した位置に限定されるものではない。
【００５４】
また、本発明に係る筆記具は、水性ボールペン、レフィール等に適用することが可能である。
【００５５】
【発明の効果】
以上、本発明によれば、インク貯留室とリザーバ室を備えた筆記具において、簡易な構成で、リザーバ室に流出したインクのリターン率が高く、液漏れ等が生じ難い構成が得られる。
【図面の簡単な説明】
【図１】本発明に係る筆記具の第１の実施形態を示す図。
【図２】本発明に係る筆記具の第２の実施形態を示す図。
【図３】上記第２の実施形態の変形例を示す図。
【図４】本発明に係る筆記具の第３の実施形態を示す図。
【図５】本発明に係る筆記具の第４の実施形態を示す図。
【図６】上記第４の実施形態の変形例を示す図。
【図７】上記第４の実施形態の第２変形例を示す図。
【図８】本発明に係る筆記具の第５の実施形態を示す図。
【図９】本発明に係る筆記具の第６の実施形態を示す図。
【図１０】本発明に係る筆記具の第７の実施形態を示す図。
【図１１】本発明に係る筆記具の第８の実施形態を示す図。
【図１２】本発明に係る筆記具の第９の実施形態を示す図。
【図１３】本発明に係る筆記具の第１０の実施形態を示す図。
【図１４】本発明に係る筆記具の第１１の実施形態を示す図。
【図１５】本発明に係る筆記具の第１２の実施形態を示す図。
【符号の説明】
１　筆記具本体
２　隔壁
３　インク貯留室
４　リザーバ室
４ａ　ペン体側リザーバ室
４ｂ　隔壁側リザーバ室
７　ペン体
１０　インク供給体
１１　大気連通孔
１２　インク流出防止部材
１２ｂ　延出部
２０，３０　インク流出防止壁
６０　保持体
【図１】
2004050694.tif 000003
【図２】
2004050694.tif 000004
【図３】
2004050694.tif 000005
【図４】
2004050694.tif 000006
【図５】
2004050694.tif 000007
【図６】
2004050694.tif 000008
【図７】
2004050694.tif 000009
【図８】
2004050694.tif 000010
【図９】
2004050694.tif 000011
【図１０】
2004050694.tif 000012
【図１１】
2004050694.tif 000013
【図１２】
2004050694.tif 000014
【図１３】
2004050694.tif 000015
【図１４】
2004050694.tif 000016
【図１５】
2004050694.tif 000017